(57)【要約】      （修正有）【課題】  パイプを加工成型して、効率的な集水、受水、排水を行う機能を持たせることによって、その加工成型パイプを浄化槽と結合し浄化槽内の汚水の希釈、その他汚水場所と結合して汚水の希釈、その他考えられる使用目的、実施形態に対して使用可能な加工成型パイプを提供する。【解決手段】  加工された成型パイプであって、その加工成型パイプ１に複数の集水口３、受水口５，６，７，１７、排水口４，８等やフィルター９、蓋１０、保護ボックス１１、延長雨とい１２、排水量調整バルブ１３、その他付属物等、その他考えられ必要とされるすべての構成要素を加工成型パイプの使用目的や実施形態に対応して追加、変更することで様々な使用目的や実施形態で用いられる。【選択図】  図１
2006283962.tif 000002
【特許請求の範囲】
【請求項１】
複数のパイプをつなぎ合わせた加工成型パイプ１であって、加工成型パイプ１は加工成型パイプ専用集水用パイプ２（加工成型パイプ１の一部で加工成型パイプ専用集水用パイプ集水口３と加工成型パイプ専用集水用パイプ排水口４、延長用雨とい１２等を持つ）が装備がされ、その加工成型パイプ専用集水用パイプ２が取り付けられる受口５、その他受水形態に合わせた受口（汲み入れ用受口６、圧送用受口７等）と加工成型パイプ１から排水される排水口（加工成型パイプ本体排水口８）等の口を複数持ち、加工成型パイプ１にはごみや異物進入防止のためのフィルター９や臭いを封じ込める蓋１０や加工成型パイプ１を保護するためのボックス１１、排水量調整バルブ１３、その他付属物等が取り付けられることを特徴とする加工成型パイプ１。
【請求項２】
雨とい１４からの雨水やその他様々な水源から効率的に集水、受水、排水する加工成型パイプ１の機能を利用して、加工成型パイプ１を用いた使用目的（主に加工成型パイプ１を浄化槽１５に結合して浄化槽内の汚水を加工成型パイプ１から注水される水によりその汚水が希釈される目的やその他生活廃水やその他汚水場所に加工成型パイプ１を結合してその汚水を加工成型パイプ１から注水される水によりその汚水が希釈される目的として考えられているが、その他、加工成型パイプ１を用いて利用できるすべての目的（汚水希釈以外にも考えられるすべての使用目的にも使用できる）や実施形態が様々に異なるため、その様々な使用目的、実施形態に合わせて適時、又は後に考えられる請求項１記載の加工成型パイプ１の構成要素（請求項１記載の全文に含まれる全ての加工成型パイプ１に関する構成要素）の変更や適時、又は後に考えられる請求項１記載の加工成型パイプ１の構成要素以外の構成要素を追加、又は追加した構成要素を変更しなければ、様々な使用目的、実施形態に対応できず、その使用目的、実施形態を実現できないので、加工成型パイプ１はそれぞれの最善な使用目的、実施形態を実現する為、その構成要素が変更される性質を有することで加工成型パイプ１の構成要素はそれぞれの使用目的、実施形態に対応する為に変更されて様々な使用目的、実施形態を行うために使用されることを特徴とする請求項１記載の加工成型パイプ１。
※  構成要素の定義
加工成型パイプ１はその使用目的、実施形態が様々に異なるため、その使用目的、実施形態ごとに、加工成型パイプ１は構成要素が変更されるため、その最善の使用目的、実施形態を実現する為の加工成型パイプ１を構成するために必要と考えられるすべての要素（要素の例として、パイプの口の大きさ、パイプの種類、各パイプの組み合わせ（例、大、小のパイプ、その他組み合わせ）、各部位のサイズ、長さ、形状、材質、材料、各集水口、受口、排水口、加工成型パイプ１に取り付けられる付属物（ビニールホース、バルブ、センサー、蓋、フィルター、タイマー、自動給水装置その他必要と考えられて取り付けられるすべての付属物）等、その他、加工成型パイプ１を構成するために必要と考えられるすべての要素）。
【発明の詳細な説明】
【技術分野】
【０００１】  本発明は、様々な水源を利用して集水、受水、排水用の加工成型パイプに関する。
【背景技術】
【０００２】  従来の加工されていない一本のパイプは、受水口と排水口が一つずつである。【０００３】  加工（複数の集水口、受水口、排水口を一本のパイプに付けなければ）しなければ、用途（例えば、小量の水を流さなければならない用途のパイプ、中量の水を流さなければならない用途のパイプ、大量の水を流さなければならない用途のパイプ、その他用途）に合わせて水を引き込んで排水するのにいくつも専用のパイプを引かなければならないので非効率である。
【発明の開示】
【発明が解決しようとする課題】
【０００４】  上述のごとく、加工されていない一本のパイプで、いろいろな用途に合わせた集水、受水、排水を行うのは不便であり、又、複数のパイプを引くのは非効率であるし注水準備にも手間や時間、労力もかかる（一例として、浄化槽内に注水するために、注水凖備や浄化槽の蓋を開けたり閉めたりする労力や手間、時間等）。
【課題を解決するための手段】
【０００５】  それで、浄化槽内や下水道およびその他汚水場所の汚水濃度（ＢＯＤ（生物学的酸素要求量））を下げるために、加工されていないパイプで注水することは非効率であるし、注水量も制限されると汚水濃度を下げるには不十分である。【０００６】  汚水濃度が下がらなければ、浄化槽内や下水道およびその他汚水場所から悪臭が発生しやすくなります（ＢＯＤが高くなりすぎると浄化槽内の微生物の汚水処理能力を超えたり、あるいは微生物が死滅したりして汚水が腐る）。浄化槽からトイレの便器に繋がる配管を通して沸きあがってくる悪臭や浄化槽の蓋や隙間からの悪臭、下水道や川、海に流れる生活廃水の悪臭や不衛生が問題となっています。【０００７】  本発明は、このような点に鑑みてなされたものであり、その目的は、加工成型パイプの使用により、上述の未加工パイプ使用時より高い効率的な集水（切り替え機能により貯水も可能）、受水、排水が行え、注水量の増加が可能になるので安易にかつ容易に汚水濃度（ＢＯＤ）を下げる効果が上がり悪臭の緩和効果をさらに上げる。本加工成型パイプを使ってあらゆる種類の汚水場所に効率的に注水できる。本加工成型パイプを用いた使用目的は主に本加工成型パイプを浄化槽に結合して浄化槽内の汚水を本加工成型パイプから注水される水によりその汚水が希釈される目的やその他生活廃水やその他汚水場所に本加工成型パイプを結合してその汚水を本加工成型パイプから注水される水によりその汚水が希釈される目的として考えられているが、その他、本加工成型パイプを用いて利用できるすべての目的（汚水希釈以外にも考えられるすべての使用目的にも使用できる）に使用でき、その使用目的、実施形態は様々ある。
【課題を解決するための手段】
【０００８】  浄化槽を例に取った場合、浄化槽に雨といから集めた無料の雨水、その他貯水を引き込むための加工成型パイプを使う。前記加工成型パイプは雨といのパイプ（複数の雨といの結合により、雨天時、大量の水が得られる）と結合するための前記加工成型パイプ専用集水用パイプ（前記加工成型パイプの一部で切り替えにより貯水機能も果たす）が装備され、その前記加工成型パイプ専用集水用パイプが取り付けられる受口、その他受水形態（水中ポンプからの圧送、貯水タンクの高低差を利用した圧送、貯水のバケツ等での汲みいれ等の方法）に合わせた受口と前記加工成型パイプから排水される排水口を特徴とする。雨天時には雨といからの水が浄化槽に自動的に供給され、水中ポンプからの圧送、貯水タンクの高低差を利用した圧送、貯水のバケツ等での汲みいれ等からの水は任意の時に供給できる。浄化槽以外の汚水場所にも、汚水濃度を下げるために前記加工成型パイプを利用できる。
【発明の効果】
【０００９】  地域によって畑や田んぼに生活廃水が流れ込んでいて、その水で植物が育っているという話をよく聞きますし、実際に川や田んぼに生活廃水が流れているのを見たりすると、これでよいのだろうかと思います。前記加工成型パイプの効果的使用方法で、浄化槽内の汚水や生活廃水排出場所の汚水やその他汚水場所に前記加工成型パイプから注水される汚水を希釈できるぐらいのきれいな水を注水することで汚水濃度（ＢＯＤ）を下げること（汚水濃度の抑制効果）により浄化槽、その他汚水場所から下水や川、海に排出される汚水の水質の改善により、安全な水、食物を確保でき、生態系を守ることに繋がります。
前記加工成型パイプの効果的使用方法でトイレの洗浄水や食器等を洗ったりする洗浄水の使用量が少なかったり、家を長く空けたりして浄化槽の汚水やその他汚水場所の汚水が滞留するのを防ぐ。
前記加工成型パイプの効果的使用方法で、浄化槽清掃業者による清掃前に前記加工成型パイプから無料で利用可能な水を浄化槽内の汚水に注水することで清掃時の悪臭を緩和できるので清掃業者、周辺住民が不快な思いをしなくてすむ。
前記加工成型パイプの効果的使用方法で、浄化槽清掃業者による清掃後に浄化槽内に注水しなければならない水を前記加工成型パイプから無料で利用可能な水を浄化槽内に短時間に大量に注水できる。前記加工成型パイプの効果的使用方法で、浄化槽内の汚水流入口付近と浄化槽の汚水流出口付近に穴を開けて両方に前記加工成型パイプの注水口を別べつに引き入れるか浄化槽汚水流入管と浄化槽汚水流出管の両方に前記加工成型パイプの注水口を別べつに接続することで汚水を二重に希釈でき汚水濃度を下げる効果が上がります（汚水流入口付近から入った希釈するための注水分が上澄み水として汚水流出口付近から流れ出るので、その分もさらに希釈できるのでより汚水濃度が下がる）。
前記加工成型パイプの効果的使用方法で、有料の水道水を使っていて、他に無料で利用できる水源がなく、水道料の節約のため浄化槽に排水される水の量が少ない家庭では、浄化槽内の汚水濃度（ＢＯＤ）が上がり、微生物の処理能力を超え水質が悪くなり、悪臭が発生し、浄化槽から排出される上澄みの水の水質悪化で、下水道や、川、海の汚染が悪化する。それで前記加工成型パイプを使えば、雨水や貯水、その他水源を利用でき、浄化槽への注水量を調整することで、水道水を使わず、浄化槽内の汚水濃度（ＢＯＤ）を調整できるので、水源を有料の水道水に頼っている家庭ではこの方法で水道水の節水に専念でき、水道料の削減の効果が期待できる。浄化槽内への注水量に関しては普段、トイレや台所、その他で使われる洗浄水の補足分として前記加工成型パイプから別に洗浄水を流すという考えで汚水濃度を下げるのに利用可能な水を水量、水流を調整して注水して汚水濃度を下げる。
一日一人当たりの平均水使用量は単独式浄化槽（トイレのみの廃水）５０リットル、合併式浄化槽（トイレ、台所、風呂、洗濯、その他の廃水）２００リットルくらいと言われており、例えば、５人槽であれば単独式浄化槽で２５０リットルぐらいを合併式浄化槽では１０００リットルぐらいを一日に処理する目安になっている。現実的に使用量に個人差があるので、あまり水を使用しない家庭では、浄化槽内の汚水濃度が上がり、悪臭や水質悪化に繋がっている。それで本加工成型パイプで不足分を補うことで、汚水濃度を下げ、悪臭の緩和や水質の改善につなげる。それで本加工成型パイプから浄化槽内への注水量は各家庭の平均使用量を考慮して一日の前記加工成型パイプからの注水量を調整する。上記処理目安でも改善されない場合は微生物の適正な繁殖と処理能力が保て、浄化槽の上澄み水の排水口から汚泥が流れ出ない程度に注水量を増やす。注水例として１日（２４時間）で２８０リットルを浄化槽内に注水する場合、排水量調整バルブで２００ｃｃ／分ぐらいに合わせる。排水量調整バルブの調整範囲外で使用者が任意の水量を注水したい場合は汲み入れ用受口、圧送用受口、その他受口から任意の水量を入れる。
前記加工成型パイプの効果的使用方法で、前記加工成型パイプで雨水等を貯水タンクに貯め、その貯水分を汚水希釈用として使うだけでなく、トイレの洗浄水、植物に対する水やりその他いろいろな用途にその貯水が使用できる。
雨が降るときは自動的に前記加工成型パイプから浄化槽内やその他汚水場所に注水されるのでよいが、雨の降らないときは水源の確保をしなければならない。その水源や貯水の量を考慮して、雨の降らない時は任意の時に前記加工成型パイプからその水源や貯水の水を注水することで汚水濃度を下げることで水質改善にもなるし衛生的な気分になる。
前記加工成型パイプの効果的使用方法で、浄化槽からトイレの便器に繋がる配管を通して沸きあがってくる悪臭や浄化槽の蓋や隙間からの悪臭が汚水濃度が下がること（前記加工成型パイプから浄化槽内の嫌気槽に注水することで汚水濃度（ＢＯＤ）を下げることにより、嫌気槽から好気槽に流れる汚水濃度（ＢＯＤ）が低くなり空気を必要とする好気槽の微生物が適切に繁殖し汚水処理能力が高まる（ＢＯＤが低ければ低いほど微生物による適切な汚水処理活動が行われて、ＢＯＤがさらに低くなり、浄化槽外へ排水される浄化槽内で処理された汚水は大変きれいになるし悪臭も緩和される））により大幅に緩和され、前記加工成型パイプの使用により、汚水濃度（ＢＯＤ）が下がった汚水が浄化槽の上澄みから浄化槽外に繋がる配管を通して下水道、川、海等に排水された場合、汚水濃度（ＢＯＤ）が高い汚水に比べて、悪臭、衛生面が改善され自然環境の改善に繋がる（自然にやさしい）。前記加工成型パイプの効果的使用方法は単に汚水濃度を下げること（注水すればするほど汚水濃度が下がり悪臭の緩和になる）に効果を発揮するが、根本的には浄化槽内の微生物の処理能力を前記加工成型パイプの効果的使用方法で高め、そして浄化槽の清掃業者の従来通りの回数の清掃が絶対的に必要であり、真に汚水の悪臭の大幅な緩和、自然環境の保護を達成するためには、前記加工成型パイプの効果的使用方法で汚水濃度を下げ、これまで以上に浄化槽清掃業者による清掃（汚水、汚物の汲み取り）回数を増やすことや市販されている微生物（バクテリア）を購入して便器から浄化槽に流したりすることで相当大きな相乗効果が上がります。前記加工成型パイプの効果的使用を通じて人々に浄化槽内汚水やその他生活廃水等の汚水の悪臭の緩和および汚水からの自然環境の保護に対する理解と意識を高める効果があります。
この汚水への意識の高まりが、下水、川、海の美化活動（下水、川、海の自発的な清掃活動や不用意な汚水の垂れ流しをやめること等）に繋がり、下水、川、海をきれいにすることで安全できれいな水を得ることができます。
前記加工成型パイプの効果的使用方法で汚水濃度を下げることより悪臭の緩和や自然環境の保護の効果以外に、無用な人間関係の悪化を回避できる（だれ方の浄化槽の辺りが臭うとかのうわさで人間関係の悪化に繋がったり、自宅のトイレの臭いに来客時、引け目を感じたりとか、トイレ内、浄化槽周辺、生活廃水からの悪臭に関する話題は身近に多い）。
現在、私方の家ではこの方法で以前より大幅に悪臭が緩和されています。浄化槽に水を注入すればするほど汚水濃度が下がるので、この方法は自然に対して安全で経済的で効果の高いものになります。この発明により、浄化槽の清掃意識が強くなり、浄化槽清掃業者の利用回数が増え、この加工成型パイプの材料になる資材や設置工事、圧送用に使う水中ポンプ、貯水用のタンク，市販されている微生物（バクテリア）等の需要が高まり経済面にもよい効果を上げることになります。
下水道に前記加工成型パイプを引き込んで水を汚水に注水することで汚水濃度が下がり、汚水処理施設での処理効率が上がります（公共下水道に水を流すと量水計により課金される、公共下水道は市町村によって雨水を公共下水道に入れられない等の面がある）。主に浄化槽について述べてますが、他のあらゆる汚水場所でも汚水濃度を下げる効果があり上述のような悪臭の緩和や自然環境の保護等に繋がります。
【発明を実施するための最良の形態】
【００１０】  以下、本発明の実施の形態を図面に基づき詳細に説明する。【００１１】  図１〜図１０は本発明の実施の形態に係り、図１はその加工成型パイプからその保護ボックスを取り外した外観正面視図、図２は保護ボックスを付けた本体外観斜視図、図３は本体外観横視図、図４は浄化槽用注水口２個型例本体外観正面視図、図５は本加工成型パイプと浄化槽汚水流入管、浄化槽汚水流出管（管に接続）接続例図６は本加工成型パイプと浄化槽汚水流入口付近、流出口付近（浄化槽に穴を開けて接続）接続例、図７は本加工成型パイプと浄化槽汚水流入口付近（浄化槽に穴を開けて接続）接続例、図８は本加工成型パイプと汚水場所との接続例、図９は本加工成型パイプと浄化槽汚水流入管、浄化槽汚水流出管（管に接続）と汚水場所との同時接続例、図１０は本加工成型パイプと浄化槽汚水流入管（管に接続）接続例である（図１〜図１０は実施形態例と接続例で図１〜図１０以外に他に様々な実施形態例と接続例が考えられる）。【００１２】  図１、図２、図３、図４に示すように本加工成型パイプ１は本加工成型パイプ専用集水パイプ２が装備され、その集水口３、受口５，６，７，１７、排水口４，８を複数持ち、用途により任意のそれぞれの口を付けられるので、それぞれの口の数は任意の数になる。【００１３】  本加工成型パイプ専用集水パイプ２は主に雨とい１４と接続して、その雨水を集水するか（複数の雨とい１４を結合することにより大量の利用可能水が得られる）、その他場所からの利用可能水を集水する用途があり、そのパイプは回転、上下伸縮、横伸縮が可能で、本加工成型パイプ１の本加工成型パイプ専用集水パイプ受口５に接続でき、本加工成型パイプ１から取り外して回転して、貯水用にも使える。延長用雨とい１２を接続すれば、雨とい１４として機能する。本加工成型パイプ専用集水パイプ２はバルブ１３付きのタイプもあり、排水口４が２つあり、バルブ１３のある排水口４は排水量の調整ができ，２つの排水口４から同時に排水されるので、貯水、注水を同時に行える。【００１４】  本加工成型パイプ専用集水パイプ受口５は主に本加工成型パイプ専用集水パイプ２からの受口であるが、そのパイプを取り外して、他のホースやパイプを引き込める。本加工成型パイプ専用集水パイプ受口５は左右どちらでも取り付け可能。【００１５】  汲み入れ用受口６はバケツ等で貯水を人の力によりその受口から利用可能な水を汲み入れる受口で、ほかにホースやパイプを引き込める。【００１６】  圧送用受口７は貯水タンクの高低差を利用した圧送および離れた場所にある水源から水中ポンプをしようして圧送される利用可能水の受口、ほかにホースやパイプを引き込める。圧送用受口７は左右どちらでも取り付け可能。水道、その他からの受水口１７は左右どちらでも取り付け可能。【００１７】  加工成型パイプ本体排水口８から排出される水量を調節できる排水量調整バルブ１３が取り付けられる（排水量調整機能により浄化槽内の汚水濃度（ＢＯＤ）が調整できる）。バルブ１３での水流、水量調整はそのバルブ１３の種類により異なる。バルブ１３の水流、水量調整範囲を超える場合は、水源から水流、水量調整をして本加工成型パイプ１に送る。【００１８】  保護ボックス１１は本加工成型パイプ１を破損等から守るためのものである。【００１９】  フィルター９は異物やごみ等の進入を防ぐ役割である。【００２０】  蓋１０は汚水場所から湧き上がるにおいを封じ込める役割である。【００２１】  設置場所は汚水場所からなるべく近い方がよいが、設置者の都合で離れた場所でも設置可能であれば問題なし。【００２２】  設置方法（設置工事）については、雨とい１４を結合する工事と本加工成型パイプ１を設置場所から浄化槽１５、その他汚水場所まで引き込みパイプに繋げてその浄化槽１５、その他汚水場所に引き込む工事（引き込みパイプは地中１６に引き込む場合があります）。本加工成型パイプ１と浄化槽１５の接続は本加工成型パイプ１を浄化槽１５に穴を開けて引き込むか、浄化槽汚水流入管と浄化槽汚水流出管に繋げるか、その他方法で設置者の希望する効果の出る任意の場所に繋げる。その他汚水場所との接続も設置者の希望する効果の出る任意の場所に繋げる。本加工成型パイプ１の使用目的、実施形態（単独式浄化槽、合併式浄化槽、その他汚水場所等）が様々にあるのでそれぞれの特性を考慮して接続形態は様々にある。【００２３】  水源（容易に利用でき無料で汚水濃度を下げることが可能な程度の水）については主に雨とい１４から本加工成型パイプ専用集水パイプ２から集水した利用可能水を本加工成型パイプ１を通して汚水場所に注水すれば自動的に汚水場所に注水（丸一日以上まとまった雨が降れば、相当汚水濃度が下がる）できるし、雨の降らない日が長く続く場合もあるので、本加工成型パイプ専用集水パイプ２で雨天時、雨とい１４から貯水タンクに貯水したりもできる。雨とい１４から本加工成型パイプ専用集水パイプ２から集水した利用可能水や本加工成型パイプ専用集水パイプ２で貯水タンクに貯水した利用可能水だけでは不十分なので、その他利用可能水源の確保が望ましい。その他さまざまな水源の確保や貯水タンク（設置場所のスペースが必要）や水中ポンプ、ホース等の備品の用意等は設置者の都合等があるので任意によるものなります（設置者の要望があれば、工事業者等により、水源、備品の確保が可能）。
本加工成型パイプ１の使用者の意識しだいで様々な水源が確保される。考えられる水源の例としては、雨といからの雨水、川、沢の水、地下水、風呂の水、クーラーの冷却水、その他、工夫次第で様々ある。【００２４】  本加工成型パイプ１の集水口３、受口５，６，７，１７、排水口４，８以外の用途に後から考えられる口や本加工成型パイプ１に付属するフィルター９，蓋１０、保護ボックス１１、延長雨とい１２、排水量調整バルブ１３等以外に、その他後から考えられる付属物（例、スイッチ、ビニールホース１８その他等）が任意に取り付けられ、変更もできる。
要するに様々な使用目的、実施形態にあわせてその最善の使用目的、実施形態を行うために適時、又は後に必要と考えられるすべての構成要素を追加、変更できる。【００２５】  本加工成型パイプ１に関わるすべての部位（口等）、付属物の位置、サイズ、形状、材質は任意に変更できる。
要するに様々な使用目的、実施形態にあわせてその最善の使用目的、実施形態を行うために適時、又は後に必要と考えられるすべての構成要素を追加、変更できる。【００２６】本加工成型パイプ１により浄化槽１５に注水することにより汚水濃度が下がり悪臭が緩和されるが、トイレ便器から浄化槽１５につながっている配管のにおいも発生するので、任意の時に無料で利用可能な水を水中ポンプやバケツ等を使って便器から流すとその配管の汚れが緩和され、トイレ内の掃除を従来以上に行えば、大幅な悪臭の緩和に大幅な効果アップとなる。
【実施例】
【００２７】  本図面図（図１〜図４）の保護ボックス１１を付けた本加工成型パイプ１のサイズは横０．５０ｍｍ，高さ１．４ｍ，奥行き０．５０ｍ以下でパイプの集水口３、受口５，７、排水口４，８直径は１００ｍｍ以下、汲み入れ用受口６は３００ｍｍ以下。【００２８】  本加工成型パイプ１の用途として主に浄化槽内１５への利用を説明してきましたが、その他汚水場所への利用、その他利用方法に広く使われる。
【産業場の利用可能性】
本発明は配管用のパイプを製造、販売、設置工事する産業分野で利用することができる。
【図面の簡単な説明】
【００２９】
【図１】  本発明の第１の実施の形態に係るその加工成型パイプからその保護ボックスを取り外した本体外観正面視図である。
【図２】  図１の本加工成型パイプに保護ボックスを付けた本体外観斜視図である。
【図３】  図１の本加工成型パイプの本体外観横視図である。
【図４】  浄化槽用注水口２個型例本体外観正面視図である。
【図５】  本加工成型パイプと浄化槽汚水流入管、浄化槽汚水流出管（管に接続）接続例である。
【図６】  本加工成型パイプと浄化槽汚水流入口付近、流出口付近（浄化槽に穴を開けて接続）接続例である。
【図７】  本加工成型パイプと浄化槽汚水流入口付近（浄化槽に穴を開けて接続）接続例である。
【図８】  本加工成型パイプと汚水場所との接続例である。
【図９】  本加工成型パイプと浄化槽汚水流入管、浄化槽汚水流出管（管に接続）と汚水場所との同時接続例である。
【図１０】  本加工成型パイプと浄化槽汚水流入管（管に接続）接続例である。
【符号の説明】
【００３０】１          加工成型パイプ
２          加工成型パイプ専用集水用パイプ
３          加工成型パイプ専用集水用パイプ集水口
４          加工成型パイプ専用集水用パイプ排水口
５          加工成型パイプ専用集水用パイプが取り付けられる受口
６          汲み入れ用受口
７          圧送用受口
８          加工成型パイプ本体排水口
９          フィルター
１０        蓋
１１        保護ボックス
１２        延長雨とい
１３        排水量調整バルブ
１４        雨とい
１５        浄化槽
１６        地中
１７        水道、その他からの受水口
１８        ビニールホース
１９        結合用パイプ
２０        浄化槽汚水流入管
２１        浄化槽汚水流出管
２２        汚水場所
※構成要素の定義
加工成型パイプ１はその使用目的、実施形態が様々に異なるため、その使用目的、実施形態ごとに、加工成型パイプ１は構成要素が変更されるため、その最善の使用目的、実施形態を実現する為の加工成型パイプ１を構成するために必要と考えられるすべての要素（要素の例として、パイプの口の大きさ、パイプの種類、各パイプの組み合わせ（例、大、小のパイプ、その他組み合わせ）、各部位のサイズ、長さ、形状、材質、材料、各集水口、受口、排水口、加工成型パイプ１に取り付けられる付属物（ビニールホース、バルブ、センサー、蓋、フィルター、タイマー、自動給水装置その他必要と考えられて取り付けられるすべての付属物）等、その他、加工成型パイプ１を構成するために必要と考えられるすべての要素）。
【図１】
2006283962.tif 000003
【図２】
2006283962.tif 000004
【図３】
2006283962.tif 000005
【図４】
2006283962.tif 000006
【図５】
2006283962.tif 000007
【図６】
2006283962.tif 000008
【図７】
2006283962.tif 000009
【図８】
2006283962.tif 000010
【図９】
2006283962.tif 000011
【図１０】
2006283962.tif 000012